(57)【要約】【課題】畳み込み寸法の縮小及び美観の向上を図り得る折引戸を提供する。【解決手段】複数枚のパネル２ａ〜２ｄをハンガーレール１ａ，１ｂと床面上の案内レールとの間で、両レールに沿って引き違い操作可能にかつ回動可能に支持し、各パネル２ａ〜２ｄを両レールに直行する方向に回動させて畳み込み可能とした折引戸において、各パネル２ａ〜２ｄの畳み込み時に、該パネルが幅方向に揃えられて支持されるように、パネルの回動支点６ａ〜６ｄをパネルの幅方向中央からオフセットした。【選択図】        図１
2004169313.tif 000002
【特許請求の範囲】
【請求項１】
複数枚のパネルをハンガーレールと床面上の案内レールとの間で、両レールに沿って引き違い操作可能にかつ回動可能に支持し、前記各パネルを両レールに直行する方向に回動させて畳み込み可能とした折引戸において、前記各パネルの畳み込み時に、該パネルが幅方向に揃えられて支持されるように、前記パネルの回動支点をパネルの幅方向中央からオフセットしたことを特徴とする折引戸。
【請求項２】
前記回動支点は、前記パネルの幅方向中央から前記ハンガーレールの間隔の１／２の距離だけオフセットしたことを特徴とする請求項１記載の折引戸。
【請求項３】
前記パネルは、同一のハンガーレールに沿って移動するパネルを、蝶番部を介して回動可能に連結したことを特徴とする請求項２記載の折引戸。
【請求項４】
一方のハンガーレールに支持されるパネルは、回動支点を蝶番部から遠ざかる方向にオフセットし、他方のハンガーレールに沿って吊下支持されるパネルは、蝶番部に近づく方向に回動支点をオフセットしたことを特徴とする請求項３記載の折引戸。
【発明の詳細な説明】
【０００１】
【発明の属する技術分野】
この発明は、ハンガーレールから引き違い操作可能に吊下支持されたパネルを折り畳んで収納可能とした折引戸に関するものである。
【０００２】
【従来の技術】
図４及び図５に示す折引戸は、２本のハンガーレール１ａ，１ｂにパネル２ａ，２ｂと、同２ｃ，２ｄがランナー３ａ〜３ｄを介してそれぞれ引き違い操作可能に吊下支持されている。
【０００３】
前記パネル２ａ，２ｂは、蝶番部４ａを介して回動可能に連結され、前記パネル２ｃ，２ｄは、蝶番部４ｂを介して回動可能に連結されている。そして、パネル２ａ，２ｂと、同２ｃ，２ｄを直線状に引き延ばした状態で壁面５ａ，５ｂ間に引き出すと、壁面５ａ，５ｂ間を仕切る引戸となる。
【０００４】
また、図５に示すように、パネル２ａ，２ｂ及び同２ｃ，２ｄをハンガーレール１ａ，１ｂに直交する方向に回動させて、一方の壁面５ａ側に畳み込むと、壁面５ａ，５ｂ間がほぼ全開状態となる。
【０００５】
上記のような折引戸は、例えば特許文献１に開示されている。
【０００６】
【特許文献１】
実公昭５５−４３２７２
【０００７】
【発明が解決しようとする課題】
上記のような折引戸では、各パネル２ａ〜２ｄの上縁の幅方向中央部にそれぞれランナー３ａ〜３ｄが取着され、そのランナー３ａ〜３ｄを介してハンガーレール１ａ，１ｂから吊下支持される。
【０００８】
すると、図５に示すように各パネル２ａ〜２ｄを畳み込んだとき、パネル２ａ，２ｂと同２ｃ，２ｄとは、ハンガーレール１ａ，１ｂの間隔ａに等しい寸法だけ幅方向にずれた状態で吊下支持される。
【０００９】
従って、各パネル２ａ〜２ｄの畳み込み時にハンガーレール１ａ，１ｂに直交する方向のパネル畳み込み寸法が増大するとともに、美観上も好ましくない。
この発明の目的は、畳み込み寸法の縮小及び美観の向上を図り得る折引戸を提供することにある。
【００１０】
【課題を解決するための手段】
請求項１では、複数枚のパネルをハンガーレールと床面上の案内レールとの間で、両レールに沿って引き違い操作可能にかつ回動可能に支持し、前記各パネルを両レールに直行する方向に回動させて畳み込み可能とした折引戸において、前記各パネルの畳み込み時に、該パネルが幅方向に揃えられて支持されるように、前記パネルの回動支点をパネルの幅方向中央からオフセットした。
【００１１】
請求項２では、前記回動支点は、前記パネルの幅方向中央から前記ハンガーレールの間隔の１／２の距離だけオフセットした。
請求項３では、前記パネルは、同一のハンガーレールに沿って移動するパネルを、蝶番部を介して回動可能に連結した。
【００１２】
請求項４では、一方のハンガーレールに支持されるパネルは、回動支点を蝶番部から遠ざかる方向にオフセットし、他方のハンガーレールに沿って吊下支持されるパネルは、蝶番部に近づく方向に回動支点をオフセットした。
【００１３】
【発明の実施の形態】
図１〜図３は、この発明を具体化した折引戸の一実施の形態を示す。前記従来例と同一構成部分は同一符号を付して説明する。
【００１４】
ハンガーレール１ａにはパネル２ａ，２ｂがランナー６ａ，６ｂを介して移動可能にかつ回動可能に吊下支持されている。また、パネル２ａ，２ｂは蝶番部４ａを介して回動可能に連結されている。
【００１５】
ハンガーレール１ｂにはパネル２ｃ，２ｄがランナー６ｃ，６ｄを介して移動可能にかつ回動可能に吊下支持されている。また、パネル２ｃ，２ｄは蝶番部４ｂを介して回動可能に連結されている。
【００１６】
前記パネル２ａ〜２ｄは、その下縁部から案内軸が突出され、その案内軸にランナー９がそれぞれ取着されている。そして、そのランナー９が床面に設けられる案内レール８ａ，８ｂ内を移動可能となっている。
【００１７】
前記ランナー９は前記各ランナー６ａ〜６ｄと共通の鉛直線上に設けられる。従って、前記パネル２ａ〜２ｄは各ランナー６ａ〜６ｄ及びランナー９を回動支点として回動される。
【００１８】
前記パネル２ａの端部には取っ手７ａが設けられ、前記パネル２ｄの端部には取っ手７ｂが形成されている。そして、取っ手７ａを操作することにより、パネル２ａ，２ｂの移動操作及び回動操作が可能であり、取っ手７ｂを操作することにより、パネル２ｃ，２ｄの移動操作及び回動操作が可能である。
【００１９】
前記ランナー６ａ，６ｂは、パネル２ａ，２ｂの幅方向中央からオフセットされて取着されている。ランナー６ａは蝶番部４ａから遠ざかる方向に、ハンガーレール１ａ，１ｂの間隔ａの半分の距離ａ／２だけオフセットされている。ランナー６ｂは同じく蝶番部４ａから遠ざかる方向に、同一距離ａ／２だけオフセットされている。
【００２０】
前記ランナー６ｃ，６ｄも、パネル２ｃ，２ｄの幅方向中央からオフセットされて取着されている。ランナー６ｃは蝶番部４ｂに近づく方向に、ハンガーレール１ａ，１ｂの間隔ａの半分の距離ａ／２だけオフセットされている。ランナー６ｄも同じく蝶番部４ｂに近づく方向に、同一距離ａ／２だけオフセットされている。
【００２１】
このように構成された折引戸では、パネル２ａ，２ｂと、同２ｃ，２ｄを直線状に引き延ばした状態で壁面５ａ，５ｂ間に引き出すと、壁面５ａ，５ｂ間を仕切る引戸となる。
【００２２】
また、図１に示すように、パネル２ａ，２ｂ及び同２ｃ，２ｄをハンガーレール１ａ，１ｂに直交する方向に回動させて、一方の壁面５ａ側に畳み込むと、壁面５ａ，５ｂ間がほぼ全開状態となる。
【００２３】
このとき、ランナー６ａ〜６ｄが各パネル２ａ〜２ｄの幅方向中央から上記のようにオフセットされているので、各パネル２ａ〜２ｄは幅方向にずれることなく吊下支持される。
【００２４】
上記のように構成された折引戸では、次に示す作用効果を得ることができる。（１）パネル２ａ，２ｂと、パネル２ｃ，２ｄをハンガーレール１ａ，１ｂに沿って引き違い操作することができる。
（２）各パネル２ａ〜２ｄを畳み込むとき、各パネル２ａ〜２ｄをハンガーレール１ａ，１ｂに直交する方向に回動させて畳み込むことができる。従って、畳み込み時には壁面５ａ，５ｂ間を大きく開放することができる。
（３）パネル２ａ，２ｂを蝶番部４ａで折り畳むことができる。また、パネル２ｃ，２ｄを蝶番部４ｂで折り畳むことができる。従って、畳み込み時にハンガーレール１ａ，１ｂに直交する方向の畳み込み寸法を小さくすることができる。
（４）ランナー６ａ〜６ｄを各パネル２ａ〜２ｄの中央から幅方向にオフセットしたので、畳み込み時に各パネル２ａ〜２ｄを幅方向に揃えた状態で吊下支持することができる。従って、畳み込み時にハンガーレール１ａ，１ｂに直交する方向の畳み込み寸法を小さくすることができるとともに、畳み込み時の美観を向上させることができる。
（５）各パネル２ａ〜２ｄは、各ランナー６ａ〜６ｄとランナー９とで回動可能に支持されている。従って、ランナー６ａ〜６ｄ及びランナー９が各パネル２ａ〜２ｄの幅方向中央部からオフセットされていても、パネルの折り畳み時に各パネル２ａ〜２ｄが傾くおそれはない。
【００２５】
上記実施の形態は、次に示すように変更することもできる。
・各パネルを３本以上のハンガーレールから吊下支持する構成としてもよい。
・３枚以上のパネルを蝶番部で連結する構成としてもよい。
【００２６】
【発明の効果】
以上詳述したように、この発明は畳み込み寸法の縮小及び美観の向上を図り得る折引戸を提供することができる。
【図面の簡単な説明】
【図１】一実施の形態の折引戸を畳み込んだ状態を示す平面図である。
【図２】一実施の形態の折引戸を引き延ばした状態を示す平面図である。
【図３】一実施の形態の折引戸を示す縦断面図である。
【図４】従来の折引戸を引き延ばした状態を示す平面図である。
【図５】従来の折引戸を畳み込んだ状態を示す平面図である。
【符号の説明】
１ａ，１ｂ        ハンガーレール
２ａ〜２ｄ        パネル
４ａ，４ｂ        蝶番部
６ａ〜６ｄ        回動支点（ランナー）
８ａ，８ｂ        案内レール
９                回動支点（ランナー）
【図１】
2004169313.tif 000003
【図２】
2004169313.tif 000004
【図３】
2004169313.tif 000005
【図４】
2004169313.tif 000006
【図５】
2004169313.tif 000007